(57)【要約】【課題】人体に対する検知精度を向上可能なトイレ装置を提供する。【解決手段】トイレ装置において、便座と、前記便座が開閉可能に軸支される本体部と、前記本体部の下に設けられ、前記本体部が載置される便器と、前記便器内に設けられ、前記便器を洗浄するための水が貯留されるタンクと、前記タンクよりも上方に配置され、前記本体部よりも前方に電波を放射して人体を検知する電波センサと、を備える。【選択図】図１
2018031140.tif 000002
【特許請求の範囲】
【請求項１】
便座と、
前記便座が開閉可能に軸支される本体部と、
前記本体部の下に設けられ、前記本体部が載置される便器と、
前記便器内に設けられ、前記便器を洗浄するための水が貯留されるタンクと、
前記タンクよりも上方に配置され、前記本体部よりも前方に電波を放射して人体を検知する電波センサと、
を備えたトイレ装置。
【請求項２】
前記本体部に軸支された便蓋をさらに備え、
前記便蓋が開いた状態では、前記電波センサよりも後方に前記便蓋が位置し、
前記便蓋が閉じた状態では、前記電波センサよりも前方に前記便蓋が位置する請求項１記載のトイレ装置。
【請求項３】
前記電波センサの左右方向における位置は、前記タンクの左右方向における位置と異なる請求項１または２記載のトイレ装置。
【請求項４】
前記便座が開いた状態において、前記電波センサから放射される電波の極大指向方向は、前記便座の開口を通る請求項１〜３のいずれか１つに記載のトイレ装置。
【発明の詳細な説明】
【技術分野】
【０００１】
本発明の態様は、一般的に、トイレ装置に関する。
【背景技術】
【０００２】
電波を用いてトイレ室内への使用者の入室や退室を検知する人体検知部と、便座と、便座を温めるために便座内部に設けられた金属部材と、を備えた便座装置が提案されている。このような便座装置においては、人体検知部の配置位置によっては、便座内部の金属部材に電波が反射され、人体検知部の検知精度が低下する可能性がある。
【０００３】
このため、特許文献１では、便座内部の金属部材による影響を避けるために、便座が開いた状態の便座の開口部を後方に投影した領域内に人体検知部を配置している。具体的には、便器装置が、便器の後部上面のロータンク設備に取り付けられ、人体検知部が、ロータンク設備に沿って起立した便座の開口部を後方に投影した領域内に配置されている。
【先行技術文献】
【特許文献】
【０００４】
【特許文献１】特開２００４−１９４９９９号公報
【発明の概要】
【発明が解決しようとする課題】
【０００５】
しかしながら、特許文献１に開示された便座装置では、ロータンク設備に人体検知部を配置するため、便蓋が開けられると、人体検知部の前方が便蓋によって覆われる。このため、人体検知部から放射された電波の一部が、開状態の便蓋によって後方に反射され、人体検知部が、洗浄タンク内の水の動きなどを人体の動きとして誤検知する可能性がある。
本発明は、かかる課題の認識に基づいてなされたものであり、人体に対する検知精度を向上可能なトイレ装置を提供することを目的とする。
【課題を解決するための手段】
【０００６】
第１の発明は、便座と、前記便座が開閉可能に軸支される本体部と、前記本体部の下に設けられ、前記本体部が載置される便器と、前記便器内に設けられ、前記便器を洗浄するための水が貯留されるタンクと、前記タンクよりも上方に配置され、前記本体部よりも前方に電波を放射して人体を検知する電波センサと、を備えたトイレ装置である。
【０００７】
このトイレ装置によれば、電波センサから放射された電波が後方に向けて反射された場合でも、電波センサによってタンク内の水の動きが検知され難い。このため、電波センサが誤検知する可能性を低減し、電波センサによる検知精度を向上させることが可能となる。
【０００８】
第２の発明は、第１の発明において、前記本体部に軸支された便蓋をさらに備え、前記便蓋が開いた状態では、前記電波センサよりも後方に前記便蓋が位置し、前記便蓋が閉じた状態では、前記電波センサよりも前方に前記便蓋が位置するトイレ装置である。
【０００９】
このトイレ装置によれば、便蓋が開けられた状態では、便蓋による電波の反射が低減されるため、トイレ装置の使用者の動きをより精度良く検知することが可能となる。
【００１０】
第３の発明は、第１または第２の発明において、前記電波センサの左右方向における位置は、前記タンクの左右方向における位置と異なるトイレ装置である。
【００１１】
このトイレ装置によれば、電波センサによってタンク内の水の動きがより検知され難くなり、電波センサによる検知精度をさらに向上させることが可能となる。
【００１２】
第４の発明は、第１〜第３のいずれかの発明において、前記便座が開いた状態において、前記電波センサから放射される電波の極大指向方向は、前記便座の開口を通るトイレ装置である。
【００１３】
このトイレ装置によれば、便座を開けた際に、便座内の金属部材による電波の反射を抑制し、トイレ装置の使用者の動きをより精度良く検知することが可能となる。
【発明の効果】
【００１４】
本発明の態様によれば、人体に対する検知精度が向上されたトイレ装置が提供される。
【図面の簡単な説明】
【００１５】
【図１】実施形態に係るトイレ装置の側面図である。
【図２】実施形態に係るトイレ装置の一部を表す断面図である。
【図３】実施形態に係るトイレ装置の動作を表す側面図である。
【図４】実施形態に係るトイレ装置の背面図である。
【発明を実施するための形態】
【００１６】
以下、本発明の実施形態について図面を参照しつつ説明する。なお、各図面中、同様の構成要素には同一の符号を付して詳細な説明は適宜省略する。  
【００１７】
図１は、実施形態に係るトイレ装置の側面図である。
図１に表したトイレ装置１は、便座２と、便蓋３と、本体部４と、洋式腰掛便器（以下、単に「便器」と称する）６と、を備える。本体部４は、便器６の上に載置されている。便座２と便蓋３とは、本体部４に対して、それぞれ開閉自在に軸支されている。
【００１８】
なお、図１（ａ）は、便座２および便蓋３が閉じられた（下げられた）状態を表す。図１（ｂ）は、便座２が閉じられ、便蓋３が開けられた状態を表す。図１（ｃ）は、便座２および便蓋３が開けられた（上げられた）状態を表す。
【００１９】
以下の実施形態の説明では、「上方」、「下方」、「前方」、「後方」、「左側方」、および「右側方」を用いるが、これらの方向は、便座２に座った使用者から見たものである。
【００２０】
タンク１１は、便器６の後方に内蔵されている。タンク１１には、水道水などが供給され、貯留される。トイレ装置１は、タンク１１に接続された加圧ポンプや給水パイプを有する。タンク１１に貯溜された水が、加圧ポンプによって、給水パイプを通して便器６のボウル内に圧送されることで、ボウル内の洗浄が行われる。一方で、トイレ装置１は、水道水を直接的に便器６内に供給する直圧式の給水も可能に構成されている。このため、トイレ装置１は、水道水の供給を受けるバルブユニットや、ボウルへの給水経路とタンク１１への給水経路とを切り替える給水路切替弁などを有する。
【００２１】
本体部４の内部には、便座２に座った使用者の「おしり」などの洗浄を実現する局部洗浄機能部などが内蔵されている。また、本体部４の内部には、電波センサ１０が設けられている。電波センサ１０は、タンク１１よりも上方に配置されている。電波センサ１０は、ドップラー効果を利用したドップラーセンサである。電波センサ１０は、マイクロ波又はミリ波などの高周波の電波を放射し、放射した電波の検知対象からの反射波を受信する。反射波には、検知対象の状態に関する情報が含まれている。放射した電波と反射波とに基づいて、トイレ室への使用者の入室や便座の前方にいる使用者の動きを検知する。
【００２２】
電波センサ１０は、マイコンなどの制御部に検知結果を出力する。制御部は、この検知結果を受けて、便蓋３の開放や、タンク１１等を用いた便器６の洗浄、便座２の加熱などを行う。
【００２３】
図２は、実施形態に係るトイレ装置の一部を表す断面図である。
図２（ａ）は、便座２および便蓋３が閉められた状態を表し、図２（ｂ）は、便座２および便蓋３が開けられた状態を表す。
【００２４】
図２（ａ）および図２（ｂ）に表すように、便座２の内部には、着座面を温めるために、発熱体としての金属部材２ａが設けられている。金属部材２ａは、例えば、便座２の開口ＯＰの周りに沿って設けられている。使用者が便座２に着座する際に、この金属部材２ａに通電が行われることで、便座２が温められる。便座２に設けられるヒータとしては、例えば、チュービングヒータや、シーズヒータ、ハロゲンヒータ、カーボンヒータなどが用いられる。金属部材２ａは、例えば、アルミニウムや銅などで構成される。また、金属部材２ａの形状は、シート状やワイヤ状、メッシュ状など、種々の形状を採用することができる。
【００２５】
便座２や、便蓋３、本体部４のケースは、樹脂などの、電波を透過し易い材料で構成されている。一方で、金属部材２ａは、電波を透過せずに反射する。電波センサ１０から放射される電波ＴＷの極大指向方向Ｄは、水平方向に対して上方側に傾けられている。なお、電波の極大指向方向とは、放射された電波の強度分布において、極大値が表れる方向を意味している。電波センサ１０から複数方向に極大値を有する電波が放射される場合、そのうちの少なくとも１つが、水平方向に対して上方側に傾いていればよい。
【００２６】
図２（ａ）に表すように、便座２および便蓋３が閉められた状態では、極大指向方向Ｄは、便座２の上方を通る。図２（ｂ）に表すように、便座２が開かれた状態では、極大指向方向Ｄは、便座２の開口ＯＰを通る。なお、図２（ｂ）では、極大指向方向Ｄが、開口ＯＰの下端近傍を通る場合を例示しているが、極大指向方向Ｄが開口ＯＰを通れば、その傾き等は適宜変更可能である。
【００２７】
図３を参照しつつ、トイレ装置の動作の一例について説明する。
図３は、実施形態に係るトイレ装置の動作を表す側面図である。
【００２８】
例えば、使用者がトイレ室ＴＲに入る前は、便座２および便蓋３が閉じられている。使用者がトイレ室ＴＲ内に入ると、電波センサ１０によって入室が検知され、図３（ａ）に表すように、便蓋３が開かれる。その後、使用者が、図３（ｂ）に表すようにトイレ装置１を使用し、図３（ｃ）に表すようにトイレ装置１から離れてドアＤＲに向かうと、電波センサ１０によってその動きが検知され、便器６内の洗浄が行われる。便器６の洗浄後、トイレ装置１は、さらに便座２および便蓋３を閉じてもよい。
【００２９】
なお、ここでは、使用者が立小便を行う場合について説明したが、便座２に着座して排便を行う場合も同様である。すなわち、トイレ装置１の使用後に、電波センサ１０によって使用者がトイレ装置１から離れたことが検知されると、トイレ装置１は、便器６を洗浄したり、便蓋３を閉じたりする。
【００３０】
本実施形態では、電波センサ１０が、便器６内を洗浄するためのタンク１１よりも上方に配置されている。このような構成によれば、電波センサ１０から放射された電波が、本体部４のケースや便蓋３などによって、後方に向けて反射された場合でも、電波センサ１０によってタンク１１内の水の動きが検出され難い。このため、電波センサ１０が誤検知する可能性を低減し、電波センサ１０の検知精度を向上させることが可能となる。
【００３１】
また、トイレ装置１は、便座２や便蓋３が開けられて使用されている間、使用者の動きをより精度良く検知できることが望ましい。使用者がトイレ装置１を使用しているときに、使用者がトイレ装置１の使用を終えたものと誤って検知されると、使用中にも拘らず便器６の洗浄が行われたり、便座２や便蓋３が閉じられたりするためである。
【００３２】
この点について、本実施形態に係るトイレ装置１では、便蓋３が閉状態のときは、電波センサ１０よりも前方に便蓋３が位置しているが、便蓋３が開状態のときには、電波センサ１０よりも後方に便蓋３が位置している。便蓋３が開状態のときに、便蓋３が電波センサ１０よりも後方に位置することで、便蓋３による電波の反射が低減し、トイレ室内の使用者の動きをより精度良く検知することが可能となる。
【００３３】
さらに、本実施形態に係るトイレ装置１では、便座２が開状態のときは、図２（ｂ）に表すように、電波センサ１０から放射される電波ＴＷの極大指向方向Ｄが、便座２の開口ＯＰを通る。そのため、便座２が開状態のときに、便座２内部の金属部材２ａによる電波ＴＷの反射が低減し、トイレ室内の使用者の動きをより精度良く検知することが可能となる。
【００３４】
図４は、実施形態に係るトイレ装置の背面図である。
図４に表すように、トイレ装置１では、便器６の後方に設けられたタンク１１と、本体部４内に設けられた電波センサ１０と、が上下方向に並んでおらず、左右方向にずれて配置されている。すなわち、タンク１１の左右方向における位置と、電波センサ１０の左右方向における位置と、が異なっている。このように配置することで、電波センサ１０から放射された電波の一部が、本体部４のケースや便蓋３によって反射された際に、タンク１１内の水の動きがより検出され難くなる。従って、電波センサ１０の検知精度をより一層向上させることが可能となる。
【００３５】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、トイレ装置１などが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００３６】
１ トイレ装置、  ２ 便座、  ２ａ 金属部材、  ３ 便蓋、  ４ 本体部、  ６ 便器、  １０ 電波センサ、  １１ タンク、  Ｄ 極大指向方向、  ＤＲ ドア、  ＯＰ 開口、  ＴＲ トイレ室、  ＴＷ 電波
【図１】
2018031140.tif 000003
【図２】
2018031140.tif 000004
【図３】
2018031140.tif 000005
【図４】
2018031140.tif 000006